(57)【要約】  例えば、データ量が限られた移動体間通信の送信データを生成する場合において、受信した側の移動体で、情報を有効に利用することが可能な情報を生成する情報生成装置等を提供する。移動体（５）に搭載可能な情報生成装置１であって、移動体（５）の位置から通信可能な範囲に存在する他の移動体の運転制御に関する制御属性であって、相対的に数が多い制御属性を推定し（Ｓ４）、移動体（５）の運転制御に関する情報を含む移動体情報の複数の項目のうち、推定された制御属性に応じて優先する項目の移動体情報を含めて、他の移動体に送信する送信用情報を生成する（Ｓ７）。
2019065229.tif 000002
【特許請求の範囲】
【請求項１】
移動体に搭載可能な情報生成装置であって、
前記移動体の位置から通信可能な範囲に存在する他の移動体の運転制御に関する制御属性であって、相対的に数が多い制御属性を推定する推定手段と、
前記移動体の運転制御に関する情報を含む移動体情報の複数の項目のうち、推定された前記制御属性に応じて優先する項目の移動体情報を含めて、前記他の移動体に送信する送信用情報を生成する情報生成手段と、
を備える情報生成装置。
【請求項２】
請求項１に記載の情報生成装置において、
推定された前記制御属性に関わらず必須である必須項目を選択する必須項目選択手段を更に備え、
前記情報生成手段が、前記必須項目の移動体情報を含む前記送信用情報を生成する情報生成装置。
【請求項３】
請求項１または請求項２に記載の情報生成装置において、
前記送信用情報の前記項目のうち、前記他の移動体によって使用された項目に対する統計量を取得する取得手段と、
推定された前記制御属性と前記統計量に応じて優先する項目を選択する選択手段と、
を更に備えることを特徴とする情報生成装置。
【請求項４】
請求項１から請求項３のいずれか一項に記載の情報生成装置において、
前記送信用情報を送信する通信手段を更に備えることを特徴とする情報生成装置。
【請求項５】
推定手段が、移動体の位置から通信可能な範囲に存在する他の移動体の運転制御に関する制御属性であって、相対的に数が多い制御属性を推定する推定ステップと、
情報生成手段が、前記移動体の運転制御に関する情報を含む移動体情報の複数の項目のうち、推定された前記制御属性に応じて優先する項目の移動体情報を含めて、前記他の移動体に送信する送信用情報を生成する情報生成ステップと、
を含む情報生成方法。
【請求項６】
コンピュータを、請求項１から請求項４に記載の情報生成装置として機能させることを特徴とする情報生成装置用プログラム。
【発明の詳細な説明】
【技術分野】
【０００１】
本願は、情報生成装置、情報生成方法、および、情報生成装置用プログラムの技術分野に属する。
【背景技術】
【０００２】
移動体間で移動体間通信が行われ、互いの情報が車両の運転支援に利用されている。下記特許文献１には、複数の分割情報に分割され、分割情報に対して優先順位を決定し、優先順位が高い情報の送信回数を決定し、優先順位が高い情報を繰り返して送信する車両の通信装置が開示されている。
【先行技術文献】
【特許文献】
【０００３】
【特許文献１】特開２０１４-５９６５１号公報
【発明の概要】
【発明が解決しようとする課題】
【０００４】
しかしながら、移動体の運転制御に関する制御属性、例えば、自動運転のレベルが異なる様々な移動体が混在している場合、上記特許文献１に記載されている技術では、制御属性に応じて要求される移動体情報の項目が異なっているため、データ量が限られた移動体間通信の送信データで、有効に通信することが難しかった。【０００５】
そこで本願は、上記の各問題点に鑑みて為されたもので、その課題の一例は、データ量が限られた移動体通信の送信データを生成する場合において、受信した側の移動体で情報を有効に利用することが可能な情報を生成する情報生成装置等を提供することにある。
【課題を解決するための手段】
【０００６】
上記課題を解決するため、請求項１に記載の発明は、移動体に搭載可能な情報生成装置であって、前記移動体の位置から通信可能な範囲に存在する他の移動体の運転制御に関する制御属性であって、相対的に数が多い制御属性を推定する推定手段と、前記移動体の運転制御に関する情報を含む移動体情報の複数の項目のうち、推定された前記制御属性に応じて優先する項目の移動体情報を含めて、前記他の移動体に送信する送信用情報を生成する情報生成手段と、を備える。【０００７】
また請求項５に記載の発明は、推定手段が、移動体の位置から通信可能な範囲に存在する他の移動体の運転制御に関する制御属性であって、相対的に数が多い制御属性を推定する推定ステップと、情報生成手段が、前記移動体の運転制御に関する情報を含む移動体情報の複数の項目のうち、推定された前記制御属性に応じて優先する項目の移動体情報を含めて、前記他の移動体に送信する送信用情報を生成する情報生成ステップと、を含む。
【図面の簡単な説明】
【０００８】
【図１】実施形態に係る情報生成装置の概要構成の一例を示すブロック図である。
【図２】実施例に係る車車間通信システムの概略構成の一例を示す模式図である。
【図３】走行環境の一例を示す模式図である。
【図４】走行環境の一例を示す模式図である。
【図５】走行環境の一例を示す模式図である。
【図６】自動運転の車両の車車間通信装置の概要構成の一例を示すブロック図である。
【図７】図６の車車間通信装置のデータベースの一例を示す模式図である。
【図８】実施例に係る送信時の車車間通信装置の動作の一例を示すフローチャートである。
【図９】送信用情報の一例を示す模式図である。
【図１０】送信用情報の一例を示す模式図である。
【図１１】実施例に係る受信時の車車間通信装置の動作の一例を示すフローチャートである。
【図１２】送信時の車車間通信装置の動作の第２実施例を示すフローチャートである。
【図１３】送信用情報の一例を示す模式図である。
【図１４】送信用情報の一例を示す模式図である。
【発明を実施するための形態】
【０００９】
本願を実施するための形態について、図１を用いて説明する。なお図１は、実施形態に係る情報生成装置の概要構成の一例を示すブロック図である。
【００１０】
図１に示すように、情報生成装置１は、推定手段１ａと、情報生成手段１ｂと、を備えて構成されている。
【００１１】
情報生成装置１は、例えば、移動体に搭載されたナビゲーション装置、携帯端末装置等が挙げられる。携帯端末装置は、例えば、スマートフォンを含む携帯型無線電話機やＰＤＡ等が挙げられる。移動体の一例として、例えば、自動車、自転車、人、鉄道、船舶、航空機等が挙げられる。
【００１２】
情報生成装置１は、他の移動体の情報生成装置１と無線通信を行う。
【００１３】
この構成において推定手段１ａは、移動体の位置から通信可能な範囲に存在する他の移動体の運転制御に関する制御属性であって、相対的に数が多い制御属性を推定する。
【００１４】
ここで、移動体の位置から通信可能な範囲、すなわち、移動体間通信が可能な範囲は、移動体から例えば、数百ｍ程度の範囲であるが、電波強度、周波数、障害物によって通信可能な範囲は異なる。
【００１５】
移動体の運転制御に関する制御属性の一例として、各国の機関等で定義されている自動運転、自動操舵の各レベルが挙げられる。例えば、移動体が車両の場合、自動化のレベルが最も低いレベル０から、自動化のレベルが最も高いレベル４が挙げられる。更に、例えば、制御属性を自動運転と安全運転支援との２つに属性に分けてよい。制御属性が自動運転の場合、例えば、レベル３およびレベル４と、安全運転支援の場合、レベル０からレベル２とに対応させてもよい。制御属性が自動運転の場合、例えば、レベル２からレベル４と、安全運転支援の場合、レベル０およびレベル１とに対応させてもよい。
【００１６】
制御属性の推定は、移動体が車両の場合、車両が走行している道路種別で推定してもよい。例えば、車両が高速道路を走行している場合、車両が自動運転を機能させている確率が高く、移動体間通信が可能な範囲に自動運転の車両が、安全運転支援の車両や自動運転の機能を実行させていない車両と比較して、比較的多いと推定される。また、制御属性の推定は、移動体間通信を行った結果で推定してもよい。例えば、移動体と移動体間通信が可能な範囲に存在する他の移動体から送信され、受信した送信用情報に含まれる制御属性の値（例えば自動運転レベル）の数から、制御属性が推定される。また、移動体が搭載した周囲を撮影するカメラで推定してもよい。例えば、カメラに写った車種等で、制御属性が推定される。
【００１７】
情報生成手段１ｂは、移動体の運転制御に関する情報を含む移動体情報の複数の項目のうち、推定された制御属性に応じて優先する項目の移動体情報を含めて、他の移動体に送信する送信用情報を生成する。
【００１８】
ここで、移動体情報の項目の一例として、移動体速度の項目、移動体に備わるライトのＯＮ／ＯＦＦの項目、ワイパーのＯＮ／ＯＦＦの項目、走行している道路種別（高速道路、一般道、山道、郊外の道（例えば、都心部に比べ交通量も少ないような地域における道路）、街中の道等）の項目、ＧＰＳ（Global Positioning System）による移動体の位置の項目、地物に対する相対位置の項目（高精度位置情報の項目）、地図データ上においてノード同士を結んだ道路の区間であるリンクのリンクＩＤの項目、交差点情報（三叉路、十字路、交差する道路のリンクＩＤ、信号の有無、位置、渋滞状況等）の項目、移動体を操作している運転手の属性（性別、年齢等）、運転手の状態（覚醒、眠気）、自動運転レベルの項目、合流情報の項目等が挙げられる。
【００１９】
また、移動体情報の項目の一例として、レーンキープ機能の状態の項目、車間距離キープ機能の状態の項目、前方移動体の追跡機能状態の項目、周辺移動体情報（例えば、周辺の移動体の車種、制御属性）等が挙げられる。
【００２０】
また、移動体情報の項目の一例として、ナビゲーションシステムよる目的地情報の項目、経路情報の項目等が挙げられる。
【００２１】
さらに、合流情報の項目は、合流予定時刻の項目、合流予定位置の項目、合流する道路のリンクＩＤ、合流する道路の渋滞情報の項目等に分かれる。合流予定時刻の項目に関して、詳細な合流予定時刻（例えば、マイクロ秒単位）、詳細でない合流予定時刻（例えば、分単位）等が挙げられる。合流予定位置に関して、詳細な合流予定位置（例えば、数ミリ精度）、詳細でない合流予定位置（例えば、メートル単位）等が挙げられる。
【００２２】
交差点情報の項目も、合流情報の項目のように、位置等に関して詳細な項目と詳細でない項目を有してもよい。
【００２３】
自動運転に関する項目は、詳細な位置情報のように、安全運転支援モードの運転には特に必要とする情報ではなく、自動運転固有の項目である。
【００２４】
また、移動体の運転制御に関する情報は、移動体の自動運転に必要な情報であり、自動化のレベルや、移動体の種類（車種等）、移動体の制御機構によって異なるが、一例として、移動体速度、移動体の詳細な現在位置（例えば、地物との相対位置、リンクＩＤ等）、詳細な合流情報（詳細な合流予定時刻、詳細な合流予定位置、道路種別等が挙げられる。
【００２５】
送信用情報の一例として、推定された制御属性に応じて優先する項目の移動体情報が少なくとも含まれればよい。送信用情報の項目は、必須である必須項目と、オプションであるオプション項目とに、分かれていてもよい。例えば、必須項目として、自移動体の制御属性の項目、自移動体の現在位置、自移動体の速度、自移動体の進行方向等である。制御属性が自動運転の場合、必須項目は、現在位置の代わりに詳細な現在位置（地物に対する移動体の相対位置）でもよい。制御属性が安全運転支援モードの運転の場合、必須項目に、運転手の状態の項目や、周辺の移動体の位置情報、進行方向の項目等が含まれてもよい。
【００２６】
送信用情報の項目には、制御属性に関わらず必須項目が含まれていてもよい。例えば、自移動体の制御属性の項目、現在位置の項目は、制御属性に関わらず必須項目としてもよい。
【００２７】
なお、送信用情報には、データのサイズに上限があり、送信用情報に含ませる項目は、各項目のデータサイズ、項目の優先度等により、異なってくる。
【００２８】
なお、情報生成装置１は、移動体が移動する移動環境情報を取得してもよい。
【００２９】
ここで、移動環境情報の一例として、移動体が位置する場所に関する情報（移動体の現在位置情報を含む）、移動体が遭遇している場面に関する情報、移動体が移動している時間に関する情報等が挙げられる。場所に関する情報の一例として、高速道路、郊外の道、町中の道、山道であるかという道路種別の情報、移動体の位置の情報、交差点情報、合流情報等が挙げられる。場面に関する情報の一例として、天気の情報、渋滞状況等が挙げられる。時間に関する情報として、日付、昼夜夕方等の時間帯、季節等が挙げられる。また、移動環境情報の一例である場所に関する情報として、現在位置情報に基づく地図情報でもよい。
【００３０】
移動体が移動する移動体専用の場所の一例として、車両が走行する高速道路、自動車専用道路等が挙げられる。
【００３１】
以上説明したように、実施形態に係る情報生成装置１の動作によれば、比較的数が多い移動体の制御属性に合わせた項目の移動体情報を優先的に送信用情報に含めることができるので、送信データのデータ量が限られていても、車車間通信を介して、受信した側の移動体で、情報を有効に利用することができる。  
【実施例】
【００３２】
［１．車車間通信システムおよび車車間通信装置の構成および機能概要］
（１．１  車車間通信システムの構成および機能概要）【００３３】
次に、上述した実施形態に対応する具体的な実施例について、図を用いて説明する。なお以下に説明する実施例は、移動体の一例である車両における車車間通信システムＳに対して、本願を適用した場合の実施例である。【００３４】
図２は、車車間通信システムＳの構成例を示す模式図である。図３から図５は、走行環境の一例を示す模式図である。【００３５】
図２に示すように、本実施例の車車間通信システムＳは、制御属性が自動運転である複数の車両５（移動体の一例）と、制御属性が安全運転支援モードの運転である複数の車両５（移動体の一例）と、を含んで構成される。各車両５は、車車間通信装置１０（情報生成装置の一例）を搭載している。なお、各車両５の車車間通信装置１０は、互いに通信できればよいので、全く同じ装置でなくてもよい。【００３６】
自動運転である車両５は、例えば、自動化のレベルがレベル３またはレベル４の車両である。レベル３の場合、加速、操舵、制動のすべてが自動的に制御されているが、状況に応じて車両５のユーザ（運転手）が、加速、操舵、制動を行う。レベル４の場合は、加速、操舵、制動のすべてが自動的に制御されている。【００３７】
安全運転支援モードの運転である車両５は、例えば、自動化のレベルがレベル０からレベル２の車両である。レベル１またはレベル２の場合、車両５は、加速、操舵、制動のいずれかが自動的に制御されている。レベル０の場合、車両５のユーザに対して、加速、操舵、制動の制御が行われず、例えば、安全運転支援に関する情報について、通知をするのみが行われる。また、安全運転支援モードの運転である車両５は、レベル３またはレベル４の自動運転の機能を有する車両５であっても、レベル０からレベル２のいずれかのレベルに対応している状況の車両も含まれる。【００３８】
車両５が走行している走行環境（移動環境の一例）が、高速道路か一般道路かにより、想定される自動運転の車両５の数が異なる。図３に示すように、例えば、道路Ｒ１は高速道路で、道路Ｒ２は、一般道路である。高速道路の道路Ｒ１では、比較的、自動運転の機能を実行している車両５が多いと想定される。一般道路の道路Ｒ２では、自動運転が機能している車両５が少ないと想定される。【００３９】
図４に示す例では、車両５が走行している走行環境は、道路Ｒ３と道路Ｒ４との交差点に向かって互いに接近している。交差点付近の車両５同士は、交差点情報（移動環境情報の一例）を含む通信が行われる。【００４０】
図５に示す例では、車両５が走行している走行環境は、道路Ｒ５と道路Ｒ６との合流地点付近である。合流地点付近の車両５同士は、合流情報（移動環境情報の一例）を含む通信が行われる。【００４１】
車車間通信装置１０は、互いに所定の周波数の電波で交信を行う。車両５の中から特定された自車両５の車車間通信装置１０と、自車両５と異なる他の車両５の車車間通信装置１０とは、互いに所定の周波数の電波で交信を行う。【００４２】
自動運転の車両５に搭載された車車間通信装置１０は、車両５の加速、操舵、制動の制御を行う駆動制御部（図示せず）に、運転制御に関する情報を提供する。【００４３】
安全運転支援モードの運転の車両５に搭載された車車間通信装置１０は、レベル１またはレベル２の場合は、加速、操舵、制動のうち制御できるものに関して、駆動制御部に運転制御に関する情報を提供する。レベル０の場合は、車車間通信装置１０は、安全運転支援に関する情報を音や表示で出力する。【００４４】
（１．２  車車間通信装置１０の構成の構成および機能）
次に、車車間通信装置１０の構成および機能について、図６および図７を用いて説明する。【００４５】
図６は、車車間通信装置１０の構成例を示すブロック図である。図７は、図６の車車間通信装置のデータベースの一例を示す模式図である。【００４６】
図６に示すように、コンピュータとして機能する車車間通信装置１０は、通信部１１と、記憶部１２と、出力部１３と、操作部１４と、センサ情報取得部１５と、制御部１６と、を有する。【００４７】
通信部１１は、他の車両５の車車間通信装置１０との通信のため、電波による無線通信を行う。【００４８】
記憶部１２は、例えば、ハードディスクドライブ、シリコンディスクドライブ等により構成されている。記憶部１２は、地図データベース（地図ＤＢ）１２ａ、項目統計データベース（項目統計ＤＢ）１２ｂ等を有する。【００４９】
地図データベース１２ａは、道路、施設、交差点、交通規制の位置等のナビゲーションに必要な情報が記憶されている。例えば、道路の情報として、各リンクの位置情報（例えば、リンクの両端のノードの位置座標等）、リンクの距離、道幅、道路名等が挙げられる。【００５０】
図７に示すように、項目統計データベース１２ｂには、項目ＩＤに関連付けられ、各項目の受信回数、および、使用回数が記憶されている。他の車両から受信した送信用情報に含まれる各項目を、項目毎にカウントして、各項目の受信回数の欄に値が記憶される。受信した送信用情報に含まれる各項目の値のうち、自動運転または安全運転支援モードの運転に使用した項目の値を、項目毎にカウントして、各項目の使用回数の欄に値が記憶される。【００５１】
記憶部１２には、自車両を運転する運転手の性別、年齢等の運転手の属性情報が登録されていてもよい。【００５２】
記憶部１２は、車車間通信装置１０を制御するための各種プログラム等を記憶する。各種プログラムは、オペレーティングシステム、ナビゲーションや、音楽再生用のアプリケーションソフト等が挙げられる。なお、各種プログラムは、例えば、無線通信網等のネットワークを介して取得されるようにしてもよいし、ＣＤ、ＤＶＤ等の記録媒体に記録されてドライブ装置を介して読み込まれるようにしてもよい。【００５３】
出力部１３は、画像や音等を出力する。出力部１３は、例えば、カーナビゲーション装置の出力手段であり、液晶表示素子またはＥＬ素子、スピーカ等によって構成されている。【００５４】
センサ情報取得部１５は、車両自体の走行状態等を計測する車両に搭載されたセンサ（内界センサ）や、車両の外界を測定するセンサであって、自動運転に必要な情報を取得する外界センサ（外界センサ）等を有する。【００５５】
例えば、内界センサは、車両５の加速度、速度、進行方向、傾き等が挙げられる。また、内界センサは、ステアリングホイールの角度、ブレーキ、ギア、ワイパー等の操作状態、方向指示器の指示方向、ライトのオン・オフ状態等を検出するセンサである。さらに、内界センサとして、具体的には、ジャイロセンサ、加速度センサ、速度センサ、車輪回転角センサ、舵角センサ等が挙げられる。なお、車両５の絶対位置を取得するＧＰＳ（Global Positioning System）などのGNSS（Global Navigation Satellite System）測位システムは、内界センサに含めてもよいし、含めなくてもよい。【００５６】
また、外界センサの一例として、レーダ、走行空間センサ（ＬＩＤＡＲ：Light Detection and Ranging、Laser Imaging Detection and Ranging）、車両の周囲を撮影するカメラ等が挙げられる。【００５７】
また、センサ情報取得部１５は、道路交通情報通信システム（ＶＩＣＳ（登録商標）：Vehicle Information and Communication System）が提供する交通情報を受信するセンサを有してもよい。センサ情報取得部１５は、現在時刻を測定するタイマを有する。【００５８】
また、センサ情報取得部１５は、運転手を撮影するカメラから画像を取得するように構成されていてもよい。さらに、センサ情報取得部１５は、降雨センサを有してもよい。【００５９】
なお、車両の制御属性によって、含まれるセンサは異なる。例えば、安全運転支援モードの運転の車両５のセンサ情報取得部１５は、走行空間センサを有していなくてもよい。【００６０】
操作部１４は、例えば、操作ボタン等によって構成されている。なお、出力部１３がタッチパネルのようなタッチスイッチ方式の表示パネルの場合、操作部１４は、ユーザが接触または近接した出力部１３の位置情報を取得する。【００６１】
制御部１６は、例えば、ＣＰＵ（Central Processing Unit）と、ＲＯＭ（Read Only Memory）と、ＲＡＭ（Random Access Memory）と、を有する。制御部１６は、車車間通信装置１０の各部の動作を制御する。【００６２】
［２．車車間通信装置１０の動作］
次に、実施例に係る車車間通信装置１０の動作について図を用いて説明する。【００６３】
（２．１  送信時の車車間通信装置１０の動作の一例）
まず、送信時の車車間通信装置１０の動作の一例について図８から図１０を用いて説明する。【００６４】
図８は、実施例に係る送信時の車車間通信装置１０の動作の一例を示すフローチャートである。図９および図１０は、送信用情報の一例を示す模式図である。【００６５】
図８に示すように、車車間通信装置１０は、車両環境情報（移動環境情報の一例）を取得する（ステップＳ１）。具体的には、車車間通信装置１０の制御部１６が、センサ情報取得部１５のカメラから自車両５の周囲を撮像した画像を取得する。また、制御部１６が、センサ情報取得部１５の現在位置情報と地図情報とから、現在走行している道路の道路種別の情報を取得する。【００６６】
また、制御部１６が、センサ情報取得部１５のタイマから、現在時刻の情報を取得する。また、制御部１６が、センサ情報取得部１５から交通情報を取得する。制御部１６が、センサ情報取得部１５から、路面の状態、天候等の情報を取得する。【００６７】
次に、車車間通信装置１０は、自車両の情報を取得する（ステップＳ２）。具体的には、制御部１６が、センサ情報取得部１５の内界センサから、自車両５の加速度、速度、進行方向、傾き、ステアリングホイールの角度、ブレーキ、ギア、ワイパー等の操作状態、方向指示器の指示方向、ライトのオン・オフ状態等の情報を取得する。なお、運転手の属性の場合、制御部１６が、記憶部１２に登録されているユーザ属性情報を読み出してもよい。【００６８】
次に、車車間通信装置１０は、他の車両から送信用情報を受信する（ステップＳ３）。具体的には、制御部１６が、通信部１１を介して、電波が届く範囲にある送信側の他の車両から送信用情報を受信する。なお、受信側の自車両５が他の車両から送信用情報を受信した場合、送信用情報に含まれる項目毎に受信回数を、項目統計データベース１２ｂに記憶する。【００６９】
次に、車車間通信装置１０は、周囲に多い車両の制御属性を推定する（ステップＳ４）。例えば、道路種別が高速道路の場合、制御部１６が、自車両５の周囲に比較的多い車両の制御属性は、自動運転と推定する。また、制御部１６が、受信した送信用情報の自動運転のレベル項目の値の統計を取って、レベル３以上の他の車両が多い場合、自車両５の周囲に多い車両の制御属性は、自動運転と推定してもよい。例えば、統計の取り方に関して、1秒毎に直近1秒間に受信した通信を、他の車両を特定する車両ＩＤ毎に車両の制御属性を集計し、送信用情報の項目の変更に、ほぼリアルタイムに反映するようにしてもよい。制御部１６が、現在受信している他の車両のデータをリアルタイムに統計を取ってもよい。また、統計の取り方に関して、制御部１６が、道路種別など状況に紐づいた過去からの累積データを使用して統計を取ってもよい。また、制御部１６が、カメラに写った車種等から、制御属性を推定して、集計して、自車両５の周囲に相対的に多い車両の制御属性を求めてもよい。【００７０】
このように、車車間通信装置１０は、移動体の位置から通信可能な範囲に存在する他の移動体の運転制御に関する制御属性であって、相対的に数が多い制御属性を推定する推定手段の一例として機能する。車車間通信装置１０は、移動体が移動体専用の場所を移動している場合、自動運転の制御属性と推定する推定手段の一例として機能する。【００７１】
次に、車車間通信装置１０は、推定された制御属性に応じて、優先する車両情報（移動体情報の一例）の項目を選択する（ステップＳ５）。例えば、推定された制御属性が自動運転の場合、制御部１６が、自動運転に必要な高精度な位置情報（詳細な現在位置、合流ならば詳細な合流位置等）の項目、高精度な時間情報（合流なら詳細な合流時刻）の項目等を優先して選択する。なお、自車両５の制御属性が安全運転支援モードの運転の場合で、自車両５が走行空間センサを有しておらず高精度な位置情報を取得できない場合、制御部１６が、高精度の時間情報の項目を選択したり、自車両５の制御属性等の他の項目を優先的に選択したりしてもよい。なお、制御部１６が、一度に送信できるデータ容量の許容範囲で任意に項目を選択してもよい。また、制御部１６が、項目の代わりに、項目の移動体情報自体を選択してもよい。【００７２】
一方、推定された制御属性が安全運転支援モードの運転の場合、例えば、制御部１６が、高精度でない位置情報、運転手の属性、運転手の状態等を優先して選択する。【００７３】
なお、推定された制御属性が安全運転支援モードの運転の場合、制御部１６が、高精度な位置情報の項目を選択しないという選択をしてもよい。これは、例えば、推定された制御属性が安全運転支援モードの場合、受信する側の他の車両が高精度な位置情報を利用する機会がないことを想定しての対応である。推定された制御属性が安全運転支援モードである場合、高精度な位置情報を送信情報に優先的に選択することは、一度に送信できるデータ容量が限られている場合には、効率的に受信側の他の車両で利用できる情報を生成するという観点に反するからである。【００７４】
このように、車車間通信装置１０は、移動体の運転制御に関する情報を含む移動体情報の複数の項目のうち、推定された制御属性に応じて優先する項目を選択する選択手段の一例として機能する。車車間通信装置１０は、前記複数の項目の移動情報のうち、前記移動環境情報に応じて優先する項目の移動体情報を選択する選択手段の一例として機能する。【００７５】
次に、車車間通信装置１０は、項目に対する統計量を読み出す（ステップＳ６）。具体的には、制御部１６が、項目統計データベース１２ｂを参照して、各項目の受信回数（統計量の一例）および使用回数（統計量の一例）を読み出し、１受信当たりの使用回数の使用頻度（統計量の一例）を算出する。【００７６】
このように、車車間通信装置１０は、送信用情報の項目のうち、他の移動体によって使用された項目に対する統計量を取得する取得手段の一例として機能する。【００７７】
次に、車車間通信装置１０は、送信用情報を生成する（ステップＳ７）。具体的には、制御部１６が、ステップＳ５で選択された項目が含まれるように優先度を高くして、項目のデータサイズから、送信用情報に含ませる項目を決定する。【００７８】
なお、図９および図１０に示すように、必須項目とオプション項目とがある場合、制御属性に関わらず送信用情報に必須項目は必ず含ませるようにしてもよい。例えば、救急車等の緊急車両の接近情報や緊急車両の走行するルート情報が周辺車両情報として取得されているような場合は、当該周辺車両情報を最優先として、制御属性に関わらず送信用情報の必須項目としてもよい。また、例えば、図１０に示すように、周辺に多い車両の制御属性が安全運転支援モードの運転でも、自車両（送信する側の車両）の経路情報や運転支援情報１（例えば、自車両が車間キープ機能の状態であるような場合は、当該機能を実行していることを示す情報等の項目を必須項目としてもよい。【００７９】
また、必須項目を決定した後、ステップＳ５で選択された項目が必須項目でない場合、制御部１６が、オプション項目の上位にある項目を必須項目とするようにしてもよい。【００８０】
また、制御部１６が、受信に対する使用頻度が高い上位の項目（例えば、上位３項目）を選択してもよい。制御部１６が、使用頻度により、各項目を重みづけして、送信用情報に含ませる項目を決定してもよい。ステップＳ５で選択された項目（制御属性に応じて優先する項目の一例）であるか否か、必須項目であるか否か、使用頻度が高い項目であるか否かのトータルで重みづけして、制御部１６が、送信用情報に含ませる項目を決定してもよい。このように、車車間通信装置１０は、推定された制御属性と統計量とに応じて優先する項目を選択する選択手段の一例として機能してもよい。【００８１】
周辺に多い車両の制御属性が自動運転と推定された場合、例えば、図９に示すように、項目が決定される。他の車両（受信する側の車両）の自動運転に必要な自車両５の高精度位置情報の項目、自車両５の制御属性レベルの項目が上位に入る。さらに、オプション項目として、他の車両の自動運転に補足的に必要であるレーンキープ機能状態の項目、車間距離キープ機能の状態の項目、前方車両追随機能状態の項目が入ってくる。なお、項目の中に、安全運転支援モードの運転に必要な項目を含めてよいし、全く含めなくてもよい。【００８２】
周辺に多い車両の制御属性が安全運転支援モードの運転と推定された場合、例えば、図１０に示すように、項目が決定される。例えば、必須項目に、自車両５の運転手状態の項目、周辺車両情報（周辺移動体情報の一例）の項目が上位に入る。オプション項目に、自車両５の目的地情報の項目や経路情報の項目が入ってくる。【００８３】
次に、制御部１６が、決定された送信用情報に含ませる項目に対応する情報を取得する。例えば、詳細な現在位置の項目の場合、ステップＳ２で取得した詳細な現在位置の情報を取得する。運転手の属性の項目の場合、制御部１６が、記憶部１２に登録されている情報を取得する。運転手の状態の項目の場合、制御部１６が、ステアリングホイールの操作状況や運転手を撮影した画像等から運転手の状態を判定する。【００８４】
次に、制御部１６が、自車両５の識別情報をヘッダに含ませて、決定された項目順に、項目ＩＤと、データサイズと、データの値と、次の項目ＩＤと、データサイズと、データの値、…のように、送信用情報を生成する。【００８５】
このように、車車間通信装置１０は、移動体の運転制御に関する情報を含む移動体情報の複数の項目のうち、推定された制御属性に応じて優先する項目の移動体情報を含めて、他の移動体に送信する送信用情報を生成する情報生成手段の一例として機能する。車車間通信装置１０は、推定された制御属性に関わらず必須である必須項目を選択する必須項目選択手段の一例として機能する。車車間通信装置１０は、必須である必須項目の移動体情報を含む送信用情報を生成する情報生成手段の一例として機能する。【００８６】
次に、車車間通信装置１０は、送信用情報を送信する（ステップＳ８）。具体的には、制御部１６が、通信部１１を介して、受信する側である他の車両の車車間通信装置１０に対して、送信する側の自車両５からブロードキャストする。車車間通信１０は、送信用情報を送信する通信手段の一例として機能する。【００８７】
（２．２  受信時の車車間通信装置の動作の一例）
次に、受信時の車車間通信装置の動作の一例について、図１１を用いて説明する。【００８８】
図１１は、実施例に係る受信時の車車間通信装置の動作の一例を示すフローチャートである。【００８９】
図１１に示すように、車車間通信装置１０は、ステップＳ１のように、車両環境情報を取得する（ステップＳ１０）。【００９０】
次に、車車間通信装置１０は、ステップＳ２のように、自車両５の情報を取得する（ステップＳ１１）。【００９１】
次に、車車間通信装置１０は、ステップＳ３のように、他の車両から送信用情報を受信する（ステップＳ１２）。【００９２】
次に、車車間通信装置１０は、自車両５の運転制御の情報を出力する、または、通知を出力する（ステップＳ１３）。自車両５が自動運転の制御属性の場合、制御部１６が、車両環境情報、自車両の情報、および、他の車両からの送信用情報のうち必要な項目の情報に基づき、現在の位置、進行方向、速度等からどのように自車両５の駆動を制御するかの運転制御に関する情報を、駆動制御部に出力する。【００９３】
自車両５が安全運転支援モードの運転の制御属性の場合、制御部１６が、車両環境情報、自車両の情報、および、他の車両から送信用情報のうち必要な項目の情報に基づき、運転手への通知に必要な情報を、出力部１３に出力する。例えば、前方の車両に近づき過ぎている場合、出力部１３が、接近の警告を出力する。制御部１６が、他の車両から受信した送信用情報の他の車両の位置情報、速度、進行方向等の情報と、自車両５の位置情報、進行方向の情報とを比較して、合流点、交差点等で車両が接近している場合、出力部１３が、警告を出力する。自車両に備わるナビゲーション装置等の画像による警告表示や自車両に備わるスピーカからの音声による警告ガイダンス等で運転者へ通知することが一例として挙げられる。【００９４】
次に、車車間通信装置１０は、送信用情報の項目のうち、使用された項目に対する使用回数を増加させる（ステップＳ１４）。自車両５が自動運転の制御属性で、制御部１６が、合流地点で、他の車両の詳細な位置情報を利用して、自車両５の駆動を制御した場合、使用した項目ＩＤに基づき、項目統計データベース１２ｂにおいて、詳細な位置情報の項目の使用回数のカウント数を増加させる。【００９５】
自車両５が安全運転支援モードの運転の制御属性で、合流点、交差点等で他の車両が接近していると通知をした場合、他の車両から受信した送信用情報の他の車両の位置情報、速度、進行方向等の情報の各項目の使用回数のカウント数を、使用した項目ＩＤに基づき、項目統計データベース１２ｂにおいて、増加させる。【００９６】
以上説明したように、実施例に係る動作によれば、周囲に比較的数が多い車両の制御属性に合わせた項目の車両情報を優先的に送信用情報に含めることができるので、送信データのデータ量が限られていても、車車間通信を介して、受信した側の車両で、情報を、有効に利用することができる。【００９７】
また、制御属性に関わらず必須である項目を選択し、必須である項目の車両情報を含む送信用情報を生成する場合、必須項目が必ず入るので、受信した側の車両の制御属性が自動運転でも、安全運転支援モードの運転でも、情報を有効に利用することができる。【００９８】
また、送信用情報の項目のうち、使用された項目に対する統計量を取得し、統計量と制御属性とに応じて優先する項目を選択する場合、統計的に利用価値が高い項目の車両情報を、有効に通信できる。【００９９】
また、自車両５が、高速道路のように、車両専用道路を走行している場合、自動運転の制御属性と推定すると、車両専用道路では自動運転が機能している可能性が高いので、自動運転が機能している車両に対して、有効に通信することができる。【０１００】
（２．３  送信時の車車間通信装置１０の動作の第２実施例）
次に、送信時の車車間通信装置１０の動作の第２実施例について、図１２から図１４を用いて説明する。なお、上記実施例と異なる動作について主に説明する。【０１０１】
図１２は、送信時の車車間通信装置の動作の第２実施例を示すフローチャートである。図１３および図１４は、送信用情報の一例を示す模式図である。【０１０２】
図１２に示すように、車車間通信装置１０は、車両環境情報を取得する（ステップＳ２１）。【０１０３】
このように、車車間通信装置１０は、移動体が移動する移動環境情報を取得する取得手段の一例として機能する。【０１０４】
次に、車車間通信装置１０は、自車両の情報を取得する（ステップＳ２２）。【０１０５】
次に、車車間通信装置１０は、他の車両から送信用情報を受信する（ステップＳ２３）。【０１０６】
次に、車車間通信装置１０は、周囲に多い車両の制御属性を推定する（ステップＳ２４）。なお、このステップは省略されてもよい。【０１０７】
次に、車車間通信装置１０は、車両環境情報（移動環境情報の一例）に応じて優先する車両情報の項目を選択する（ステップＳ２５）。例えば、現在位置と地図情報を比較して自車両５が合流地点の付近の場合、制御部１６が、合流情報の項目を優先して選択する。また、自車両５が交差点の付近の場合、制御部１６が、交差点情報の項目を優先して選択してもよい。また、自車両５が高速道路を走行している場合、制御部１６が、詳細な現在位置の項目等の自動運転に関する項目を優先して選択してもよい。また、自車両５が、渋滞状況から交通量が少なく、郊外の道を走行している場合、制御部１６が、詳細な現在位置の項目を優先して選択しなくてもよい。また、センサ情報取得部１５より雨が降っていると判定された場合、制御部１６が、ワイパーのＯＮ／ＯＦＦの項目を優先して選択してもよい。また、センサ情報取得部１５より時間帯が夕方であると判定された場合、制御部１６が、車両のライトのＯＮ／ＯＦＦの項目を優先して選択してもよい。【０１０８】
このように、車車間通信装置１０は、移動体の運転制御に関する情報を含む移動体情報の複数の項目のうち、移動環境情報に応じて優先する項目を選択する選択手段の一例として機能する。車車間通信装置１０は、移動体が移動体専用の場所を移動している場合、自動運転に関する項目を優先して選択する選択手段の一例として機能する。車車間通信装置１０は、移動体の複数の項目の移動体情報のうち、現在位置情報と地図情報とを比較した結果に応じて優先する項目の移動体情報を選択する選択手段の一例として機能する。【０１０９】
次に、車車間通信装置１０は、項目に対する統計量を読み出す（ステップＳ２６）。【０１１０】
このように、車車間通信装置１０は、送信用情報の項目のうち、使用された項目に対する統計量を取得する取得手段の一例として機能する。【０１１１】
次に、車車間通信装置１０は、送信用情報を生成する（ステップＳ２７）。具体的には、制御部１６が、ステップＳ２５で選択された項目が含まれるように優先度を高くして、項目のデータサイズから、送信用情報に含ませる項目を決定する。【０１１２】
なお、図１３および図１４に示すように、必須項目とオプション項目とがある場合、送信用情報に必須項目を必ず含ませるようにしてもよい。例えば、図１４に示すように、制御属性が安全運転支援モードの運転で、運転手状態の項目が優先された場合でも、制御属性レベルの項目を必須項目としてもよい。【０１１３】
また、図１３および図１４に示すように、必須項目を決定した後、ステップＳ２５で選択された項目が必須項目ではない場合、制御部１６が、オプション項目の上位にある項目を必須項目とするようにしてもよい。【０１１４】
ステップＳ２５で、車両のライトのＯＮ／ＯＦＦの項目（移動環境情報に応じて優先する項目の一例）が選択された場合、図１３に示すように、オプション項目において、車両のライトのＯＮ／ＯＦＦの項目が上位にくる。なお、図１３に示すように、必須項目である高精度位置情報の項目や制御属性レベルの項目は、移動環境情報に応じて優先する項目に関わらず必須である項目の一例である。【０１１５】
ステップＳ２５で、ワイパーのＯＮ／ＯＦＦの項目（移動環境情報に応じて優先する項目の一例）が選択された場合、図１４に示すように、オプション項目において、ワイパーのＯＮ／ＯＦＦの項目が上位にくる。なお、図１４に示すように、必須項目である運転手状態の項目や周辺車両情報の項目は、移動環境情報に応じて優先する項目に関わらず必須である項目の一例である。【０１１６】
また、制御部１６が、受信に対する使用頻度が高い上位の項目（例えば、上位３項目）を選択してもよい。制御部１６が、使用頻度により、各項目を重みづけして、送信用情報に含ませる項目を決定してもよい。ステップＳ２５で選択された項目（移動環境情報に応じて優先する項目の一例）であるか否か、必須項目であるか否か、使用頻度が高い項目であるか否かのトータルで重みづけして、制御部１６が、送信用情報に含ませる項目を決定してもよい。このように、車車間通信装置１０は、統計量と移動環境情報とに応じて優先する項目を選択する選択手段の一例として機能してもよい。【０１１７】
さらに、ステップＳ２４で周囲に多い車両の制御属性が自動運転と推定された場合、例えば、図１３に示すように、項目が決定される。自動運転に必要な高精度位置情報の項目、制御属性レベルの項目が上位に入る。そして、オプション項目において、ステップＳ２５で選択された項目である車両のライトのＯＮ／ＯＦＦの項目が上位に来て、自動運転に補足的に必要であるレーンキープ機能状態の項目、車間距離キープ機能の状態の項目、前方車両追随機能状態の項目が入ってくる。【０１１８】
なお、自車両５が合流地点の付近の場合、必須項目において、合流情報の項目が上位になるようにしてもよい。【０１１９】
ステップＳ２４で周囲に多い車両の制御属性が安全運転支援モードの運転と推定された場合、例えば、図１４に示すように、項目が決定される。例えば、必須項目に、運転手状態の項目、周辺車両の項目が上位に入る。そして、オプション項目において、ステップＳ２５で選択された項目である車両のワイパーのＯＮ／ＯＦＦの項目が上位にきて、目的地情報の項目や経路情報の項目が入ってくる。【０１２０】
ステップＳ２５で選択された項目であるか否か、必須項目であるか否か、使用頻度が高い項目であるか否か、推定された周囲に多い車両の制御属性のトータルで重みづけして、制御部１６が、送信用情報に含ませる項目を決定してもよい。【０１２１】
送信用情報に含ませる項目を決定した後、制御部１６が、決定された送信用情報に含ませる項目に対応する情報を取得し、送信用情報を生成する。【０１２２】
このように、車車間通信装置１０は、移動体に関する複数の項目の移動体情報のうち、移動環境情報に応じて優先する項目の移動体情報を含めて、他の移動体に送信する送信用情報を生成する情報生成手段の一例として機能する。車車間通信装置１０は、選択手段が選択した項目の移動体情報を含む、移動体と移動体間通信が可能な他の移動体に送信する送信用情報を生成する情報生成手段の一例として機能する。車車間通信装置１０は、移動環境情報に応じて優先する項目に関わらず必須である項目を選択する必須項目選択手段の一例として機能する。車車間通信装置１０は、必須である項目の移動体情報を含む送信用情報を生成する情報生成手段の一例として機能する。車車間通信装置１０は、選択された項目の移動体情報を含めて、前記送信用情報を生成する情報生成手段の一例として機能する。車車間通信装置１０は、優先する項目の移動体情報として、少なくとも自動運転に関する項目の移動体情報を含めて、送信用情報を生成する情報生成手段の一例として機能する。【０１２３】
次に、車車間通信装置１０は、送信用情報を送信する（ステップＳ２８）。【０１２４】
以上説明したように、実施例に係る動作によれば、車両環境情報に合わせた項目の車両情報を優先的に送信用情報に含めることができるので、送信データのデータ量が限られていても、車車間通信を介して、受信した側の移動体で、情報を有効に利用することができる。【０１２５】
移動環境情報に応じて優先する項目に関わらず必須である項目を選択し、必須である必須項目の移動体情報を含む送信用情報を生成する場合、必須項目が必ず入るので、受信した側の移動体で、情報を有効に利用することができる。【０１２６】
送信用情報の項目のうち、使用された項目に対する統計量を取得し、統計量と車両環境情報とに応じて優先する項目を選択する場合、統計的に利用価値が高い項目の車両情報を含めることができるので、受信した側の移動体で、情報を有効に利用することができる。【０１２７】
また、自車両５が、高速道路のように、車両専用道路を走行している場合、自動運転に関する項目を優先して選択すると、車両専用道路では自動運転が機能している可能性が高いので、自動運転が機能している受信した側の移動体で、情報を有効に利用することができる。
【符号の説明】
【０１２８】
１：情報生成装置
１ａ：推定手段
１ｂ：情報生成手段
５：車両（移動体）
１０：車車間通信装置（情報生成装置）
Ｓ：車車間通信システム
【図１】
2019065229.tif 000003
【図２】
2019065229.tif 000004
【図３】
2019065229.tif 000005
【図４】
2019065229.tif 000006
【図５】
2019065229.tif 000007
【図６】
2019065229.tif 000008
【図７】
2019065229.tif 000009
【図８】
2019065229.tif 000010
【図９】
2019065229.tif 000011
【図１０】
2019065229.tif 000012
【図１１】
2019065229.tif 000013
【図１２】
2019065229.tif 000014
【図１３】
2019065229.tif 000015
【図１４】
2019065229.tif 000016
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
移動体に搭載可能な情報生成装置であって、
前記移動体の位置から通信可能な範囲に存在する他の移動体の運転制御に関する制御属性であって、相対的に数が多い制御属性を推定する推定手段と、
前記移動体の運転制御に関する情報を含む移動体情報の複数の項目のうち、推定された
前記制御属性に応じて優先する項目の移動体情報を含めて、前記他の移動体に送信する送信用情報を生成する情報生成手段と、
を備える情報生成装置。
【請求項２】
請求項１に記載の情報生成装置において、
推定された前記制御属性に関わらず必須である必須項目を選択する必須項目選択手段を更に備え、
前記情報生成手段が、前記必須項目の移動体情報を含む前記送信用情報を生成する情報生成装置。
【請求項３】
請求項１または請求項２に記載の情報生成装置において、
前記送信用情報の前記項目のうち、前記他の移動体によって使用された項目に対する統計量を取得する取得手段と、
推定された前記制御属性と前記統計量に応じて優先する項目を選択する選択手段と、
を更に備えることを特徴とする情報生成装置。
【請求項４】
請求項１から請求項３のいずれか一項に記載の情報生成装置において、
前記送信用情報を送信する通信手段を更に備えることを特徴とする情報生成装置。
【請求項５】
推定手段が、移動体の位置から通信可能な範囲に存在する他の移動体の運転制御に関する制御属性であって、相対的に数が多い制御属性を推定する推定ステップと、
情報生成手段が、前記移動体の運転制御に関する情報を含む移動体情報の複数の項目のうち、推定された前記制御属性に応じて優先する項目の移動体情報を含めて、前記他の移動体に送信する送信用情報を生成する情報生成ステップと、
を含む情報生成方法。
【請求項６】
コンピュータを、請求項１から請求項４のいずれか一項に記載の情報生成装置として機能させることを特徴とする情報生成装置用プログラム。
【国際調査報告】
2019065229.tif 000017
2019065229.tif 000018
2019065229.tif 000019
2019065229.tif 000020